(57)【要約】      （修正有）【課題】隣接する敷地との境界に沿って設置可能であって、無駄な敷地及び掘削を極力小さくできる塀を提供する。【解決手段】隣接する敷地との境界ＥＳに沿って地盤を改良してなる改良土２２と、改良土に埋設されると共に、改良土の天端２２ａから突出されたアンカー２３と、アンカーに結合される壁部２４と、からなる。【選択図】図１
0003206596.tif 000002
【実用新案登録請求の範囲】
【請求項１】
隣接する敷地との境界に沿って地盤を改良してなる改良土と、
前記改良土に埋設されると共に、前記改良土の天端から突出されたアンカーと、
前記アンカーに結合される壁部と、からなる
ことを特徴とする塀。
【請求項２】
前記改良土は、
矩形筒状の土留め型枠を前記境界に沿って設置し、前記土留め型枠の中の土を掘り、前記土留め型枠を地表高さまで埋設し、前記土留め型枠の上に別の前記土留め型枠を積み重ね、前記別の土留め型枠を前記地表高さまで埋設し、掘削された前記土に添加物を加えて前記各土留め型枠の中に埋戻し、前記各土留め型枠を地中から取り出すことで設置される
ことを特徴とする請求項１に記載の塀。
【請求項３】
前記壁部は、鉄筋コンクリートからなる
ことを特徴とする請求項１又は２に記載の塀。
【請求項４】
前記壁部は、積み重ねられた複数のコンクリートブロックからなる
ことを特徴とする請求項１又は２に記載の塀。
【請求項５】
前記添加物は、セメント系固化材からなる
ことを特徴とする請求項２〜４のいずれかに記載の塀。
【請求項６】
前記添加物は、セメント系固化材と繊維材との組み合わせからなる
ことを特徴とする請求項２〜４のいずれかに記載の塀。
【請求項７】
前記塀は、防火塀として使用される
ことを特徴とする請求項１〜６のいずれかに記載の塀。
【考案の詳細な説明】
【技術分野】
【０００１】
本考案は、住宅等の敷地に設置される塀に関する。
【背景技術】
【０００２】
住宅等の敷地に立設される塀は、特許文献１等に開示されている。塀は、隣接する敷地との間に境界物として設置されたり、他人が敷地内に侵入することを防止するために設置されたり、火災が隣地へ移ることを防止するための防火塀として設置されたりする。特許文献１の通り、塀は、地中に基礎Ａ（符号に関しては特許文献１参照）が埋設される。そして、基礎Ａ上にコンクリートブロック４が積み上げられる。
【０００３】
ところで、基礎Ａはコンクリート基礎３からなるので、コンクリート基礎３を施工するための型枠５を地中に埋設する必要がある。型枠５を設置するためには、掘削面が崩れないように傾斜して掘削する必要があるので、コンクリート基礎３が高い場合、傾斜した掘削面が長くなり、基礎Ａは、隣接する敷地７から離れて設置される。そのため、隣接する敷地７との境界に沿って塀を設置できず、無駄な敷地が大きくなる問題がある。また、コンクリート基礎を施工するための掘削量が多くなる問題もある。
【先行技術文献】
【特許文献】
【０００４】
【特許文献１】特開２００２−１２９５８２号公報
【考案の概要】
【考案が解決しようとする課題】
【０００５】
そこで、本考案が解決しようとする課題は、隣接する敷地との境界に沿って設置可能な塀を提供することにある。
【課題を解決するための手段】
【０００６】
上記の課題を解決するために、本考案に係る塀は、
隣接する敷地との境界に沿って地盤を改良してなる改良土と、
改良土に埋設されると共に、改良土の天端から突出されたアンカーと、
アンカーに結合される壁部と、からなる。
【０００７】
好ましくは、
改良土は、
矩形筒状の土留め型枠を境界に沿って設置し、土留め型枠の中の土を掘り、土留め型枠を地表高さまで埋設し、土留め型枠の上に別の土留め型枠を積み重ね、別の土留め型枠を地表高さまで埋設し、掘削された土に添加物を加えて各土留め型枠の中に埋戻し、各土留め型枠を地中から取り出すことで設置される。
【０００８】
好ましくは、
壁部は、鉄筋コンクリートからなる。
【０００９】
好ましくは、
壁部は、積み重ねられた複数のコンクリートブロックからなる。
【００１０】
好ましくは、
添加物は、セメント系固化材からなる。
【００１１】
好ましくは、
添加物は、セメント系固化材と繊維材との組み合わせからなる。
【００１２】
好ましくは、
塀は、防火塀として使用される。
【考案の効果】
【００１３】
本考案に係る塀は、隣接する敷地との境界に沿って設置可能であって、無駄な敷地及び掘削を極力小さくできる。
【図面の簡単な説明】
【００１４】
【図１】塀を示す断面側面図。
【図２】塀の施工に使用される土留め型枠を示し、Ａは平面図、Ｂは側面図、Ｃは上下の土留め型枠を組み合わせて連結するための組合せ連結手段の一部破断側面図。
【図３】第１及び第２の土留め型枠を示し、Ａは各土留め型枠を組み合わせた状態の正面断面図、Ｂは各土留め型枠を分離した状態の一部破断正面図。
【図４】図３に対応する図であり、Ａは図３Ａに対応する側面図、Ｂは図３Ｂに対応する側面図。
【図５】塀の施工方法を説明するための平面図。
【図６】塀の施工方法を説明するための側面図。
【図７】図６に続く図。
【図８】図７に続く図。
【図９】図８に続く図。
【図１０】図９に続く図。
【図１１】図１０に続く図。
【図１２】図１１に続く図。
【考案を実施するための形態】
【００１５】
以下、図面に基づいて、本考案に係る塀の一実施形態について説明する。
【００１６】
[塀の構成]
本考案に係る塀の構成について説明する。
図１の通り、塀は、地盤を改良してなる改良土２２を備える。改良土２２は、隣接する敷地との境界に設けられた既存構造物ＥＳに沿って設けられる。塀は、改良土２２に埋設されたアンカー２３を備える。アンカー２３は、改良土２２の天端２２ａから突出される。また、塀は、アンカー２３に結合される壁部２４を備える。壁部２４は、鉄筋コンクリートからなり、コンクリート部２４０と鉄筋部２４１とを備える。鉄筋部２４１は、アンカー２３に結合される。
【００１７】
上記の通り、本考案に係る塀は、壁部２４を隣接する敷地との境界に沿って設置できるので、無駄な敷地を極力小さくできる。例えば、塀が、隣地や道路等へ火災が広がることを防止する防火塀として使用される場合、壁部２４の高さは２０００〜３０００ｍｍであって、改良土２２の高さは１５００〜２０００ｍｍで構成さえる。また、改良土２２は、鉛直荷重、風荷重、地震荷重等で生じるモーメントによって壁部２４が転倒しないように、地盤が改良されたものである。改良土２２は、セメント系固化材を添加物として地盤に加えたり、麻などの天然繊維等からなる繊維材をさらに加えたりして形成される。なお、壁部２４は、複数のコンクリートブロックを積み重ねて形成されてもよい。
【００１８】
[土留め型枠の構成]
塀を施工するときに使用される土留め型枠の構成について説明する。
図２〜図４の通り、塀を施工するときに、複数の土留め型枠１，２からなる土留め型枠組合せ体が使用される。土留め型枠組合せ体は、第１の土留め型枠１と複数個の第２の土留め型枠２との組み合わせによって構成される。
第１の土留め型枠１は、矩形筒状であって、長さ寸法Ｌの一対の長側壁３、３と、幅寸法ｗの一対の短側壁４、４とからなる四側壁を有する。四側壁によって、長さ寸法Ｌ、幅寸法ｗ、深さ寸法ｄ1 の内部容積（実質的に当該内部容積は、Ｌ×ｗ×ｄ1 であり、Ｌおよびｗからは板厚分が引かれる）が規定される。第１の土留め型枠１は、上開口縁５及び下開口縁６を備え、上下方向に開口している。
【００１９】
第１の土留め型枠１は、例えば、長さ寸法Ｌ＝２０００ｍｍ、幅寸法ｗ＝６００ｍｍ、深さ寸法ｄ１＝８８０ｍｍに構成される。上記する各寸法数値は、特に限定されるものではなく、Ｌ×ｗ×ｄ1 によって規定される内部容積が１ｍ３となる一例である。第１の土留め型枠１の下開口縁６には、その全周にわたって内面側に開先加工７を備える。
【００２０】
同様に、第２の土留め型枠２は、矩形筒状であって、長さ寸法Ｌの一対の長側壁３、３と、幅寸法ｗの一対の短側壁４、４とからなる四側壁を有する。四側壁によって、長さ寸法Ｌ、幅寸法ｗ、深さ寸法ｄ2 の内部容積（実質的に当該内部容積は、Ｌ×ｗ×ｄ2 であり、Ｌおよびｗからは板厚分が引かれる）が規定される。第２の土留め型枠２は、上開口縁５及び下開口縁６を備え、上下方向に開口している。
第２の土留め型枠２は、例えば、長さ寸法Ｌ＝２０００ｍｍ、幅寸法ｗ＝６００ｍｍ、深さ寸法ｄ２＝５００ｍｍに構成される。
【００２１】
第１の土留め型枠１の上縁側と、第２の土留め型枠２の下縁側との間に、各土留め型枠１，２を連結するための連結手段８が設けられる。連結手段８は、各土留め型枠１，２の短側壁の内面側に、上縁側に向けて突出していて、突出する部分にボルト挿通孔１０を有するプレート部材９と、各土留め型枠１，２の短側壁の下縁側に設けられたボルト挿通孔１１と、ボルト１２及びナット１３と、によって構成される。
【００２２】
さらに、第１の土留め型枠１の上縁側と、第２の土留め型枠の下縁側との間に、各土留め型枠１，２を整合させて案内する整合ガイド手段１４が設けられる。整合ガイド手段１４は、短側壁の内面側に設けられたプレート部材９の突出部分が、若干内側に傾斜形成された傾斜部１５と、プレート部材９の自由端側に設けられた傾斜切除部１６に対するガイド片１７、１７と、各土留め型枠１，２の短側壁の外面側に、上縁側に向けて突出している当部材１８と、各土留め型枠１，２の短側壁の外面側であって、その下縁側に設けられた当部材受け部１９と、の組み合わせによって構成される。傾斜部１５によって、各土留め型枠１，２を重ね合わせる際、各土留め型枠１，２の長さ方向が整合され、傾斜切除部１６とガイド片１７、１７とによって、各土留め型枠１，２の幅方向が整合される。
【００２３】
図３Ａ中、符号２０は、各土留め型枠１，２を組み立てた際、最上段の土留め型枠２におけるプレート部材９に対して装着されるキャップ部材である。
【００２４】
[塀の施工方法]
次に、塀の施工方法について説明する。
先ず、施工箇所の地盤の調査が行われる。施工箇所の地盤が軟弱粘性土など、土質状態が悪い場合には現況土を採取し土質試験および固化材の配合試験を行う。配合試験結果並びに掘削深度、現場状況より固化材の添加量、改良土２２の必要壁厚を決定する。決定した改良土２２の壁厚に対応した幅のバケットＢａを装着したバックホーＢＨで、必要深度まで掘削する。
【００２５】
図５の通り、塀を施工する施工敷地ＢＳに対して、隣接する既存構造物ＥＳの境界域に沿って改良土２２が形成される。改良土２２の施工のために、第１及び第２の土留め型枠１，２、バックホーＢＨ、添加物としてのセメント系固化材及び繊維材が準備される。
【００２６】
図６の通り、隣接する既存構造物ＥＳに沿って第１の土留め型枠１を設置する。設置された第１の土留め型枠１の内側の地盤をバックホーＢＨで掘削して、掘削された土２１を排出する。
図７の通り、この掘削と共に、バックホーＢＨで第１の土留め型枠１を押さえつけて埋没する。
【００２７】
バックホーＢＨで掘削して掘り下げるにともない、第１の土留め型枠１の上に、第２の土留め型枠を積み重ねていき、所定の深さまで掘り下げる。この掘り出した土２１にセメント系固化材と繊維材とを加えて、これを土留め型枠１，２内に投入して、適量の水を加えて土留め型枠１，２内で攪拌する。掘削地盤から１ｍ上まで改良し、土留め型枠１，２を改良土２２の天端まで持ち上げる。以上の手順を繰り返して現状地盤まで改良土を形成する（図８〜図１１参照）。
【００２８】
土２１に添加するセメント系固化材とは、セメントのもつ固化作用に加え、各種添加材の効果により土中の余剰水の固定、有機物の影響を受けない水和物の生成などにより、従来固化が難しかった高含水泥土や、腐植土などの高有機質土も固化し、各種軟弱地盤を改良するものである。
【００２９】
一方、土２１に混ぜる繊維材は、特に、麻あるいは綿などの天然繊維が適用される。したがって、改良土２２は、土２１に対して、セメント系固化材と天然繊維と水とを混ぜ合わせてなる。
【００３０】
さらに、図１２の通り、改良土２２の天端２２ａから所定長さのアンカー２３が差し込まれて埋設される。改良土２２は、土２１と固化材とが混合されて軟らかい状態であるため、上方からアンカー２３を差し込むことにより、アンカー２３を改良土２２に容易に埋設できる。
その後、図１の通り、改良土２２から突出するアンカー２３に鉄筋部２４１を結合して、型枠など（不図示）を使ってコンクリート２４０を打設して、壁部２４を改良土２２の上に設置する。
【００３１】
以下、土留め型枠組合せ体を用いて隣接する既存構造物の境界に沿って塀を施工する工法の手順を列挙する。
（１）先ず、施工敷地について、監督職員と土留め壁の厚み、根入れ、掘削深さなどを事前に協議し、土留め壁の施工計画を立てる。
（２）事前協議で決定した形状から、地盤固化材、天然繊維および水の適切な添加量を算出する。
（３）第１の土留め型枠１（外寸法ｗ＝６００ｍｍ、Ｌ＝２０００ｍｍ、ｄ1 ＝８８０ｍｍ）を構築する箇所に水平かつ垂直に設置する。
（４）第１の土留め型枠１の中を、バックホーＢＨのバケットＢａにより一部が極端に深くならないように全体を平均的に掘り下げる。
（５）それに伴い第１の土留め型枠１をバックホーＢＨで押さえつけて埋没させていく。さらに、第１の土留め型枠１が現状地盤高さまで下げられたら、第２の土留め型枠２（外寸法ｗ＝６００ｍｍ、Ｌ＝２０００ｍｍ、ｄ1 ＝５００ｍｍ）を積み重ね、連結手段８により連結し、同様の手順で順次掘り下げていく。
（６）上記の手順を繰り返すことにより、相当な深さまで掘削することが可能となり、必要な深さまで掘削していき、掘削床はできるだけ凹凸のないように均しておく。
（７）掘削が完了した土留め型枠１，２の中で、排出した土２１に必要量の添加物を加え偏りのないよう均一によく混ぜ合わせる。最初の改良土の目安としては、第１の土留め型枠１の内容量が１ｍ３であるから、添加量のばらつきをなくし、改良土の品質を一定の基準で維持することができる。
（８）以上の手順で第１の土留め型枠２の天端まで改良土２２を混ぜ合わせたら、次に、土留め型枠１，２全体を上方向に持ち上げ、土留め型枠１の最下部が改良土２２の天端までくるようにし、現状地盤より飛び出した土留め型枠２を取り外しておく。その時できる隙間をおさえるため、もう一度周囲の土に良く馴染むように混ぜ、圧密度と摩擦力が高まるようにする。
（９）最初に形成した改良土２２の上で、第１の土留め型枠１の天端までの高さになるように排出土に規定の添加量を加え、新たに改良土２２を構築していき、改良土を一体となるように全体を混ぜ、現状地盤高さまで同様の手順で改良壁を構築していく。
（１０）図５のように、改良壁を１スパン、２スパン置きに形成し、単体の改良土２２を連続した改良土留め壁として施工していく。その際、事前に構築した改良土２２の隣を施工するにあたり、土留め壁を少し削り落とし、改良壁同士がしっかりと密着するようにする。
（１１）一定の強度がでた後に、根伐工事に取りかかる。この時、片面片押型枠工で施工する時など、生コンクリートが必要以上にロスがでないよう、スコップなどで掘削面を形成していく。
（１２）改良土２２にアンカー２３を差し込んで立設する。改良土２２の天端２２ａから突出したアンカー２３に鉄筋部２４１を結合して、型枠などを使って鉄筋部２４１の周囲にコンクリート２４０を打設して、壁部２４を形成する。改良土２２は、壁部２４の基礎として使用される。
【００３２】
以上、本考案の好ましい実施形態を説明したが、本考案の構成はこれらの実施形態に限定されるものではない。例えば、
・壁部２４は、コンクリートブロック、レンガブロック、プレキャストコンクリート等でもよい。
・改良土２２は、上記実施形態の施工法に限定されず、様々な公知の施工法を採用できる。
・改良土２２の添加物として、繊維材が含まれていなくてもよい。
・改良土２２の上にコンクリート台を設けて、その上に壁部２４を設置してもよい。
【符号の説明】
【００３３】
１，２  土留め型枠
２２  改良土
２２ａ  改良土の天端
２３  アンカー
２４  壁部
２４０  コンクリート部
２４１  鉄筋部
【図１】
0003206596.tif 000003
【図２】
0003206596.tif 000004
【図３】
0003206596.tif 000005
【図４】
0003206596.tif 000006
【図５】
0003206596.tif 000007
【図６】
0003206596.tif 000008
【図７】
0003206596.tif 000009
【図８】
0003206596.tif 000010
【図９】
0003206596.tif 000011
【図１０】
0003206596.tif 000012
【図１１】
0003206596.tif 000013
【図１２】
0003206596.tif 000014